(57)【特許請求の範囲】
【請求項１】
球状の内容物を収容する球状物用容器であって、
前記内容物の収容空間と該内容物よりも大径の吐出口とを備える容器本体と、
前記内容物の最大径部分における断面積よりも小さな開口面積の開孔と、該開孔の内周縁から径方向外側に向けて延びて設けられて前記開孔を前記内容物が通過可能な大きさにまで変形可能とする少なくとも１本のスリットとを備え、前記吐出口に装着されるフィルム体とを有することを特徴とする球状物用容器。
【請求項２】
前記開孔が前記内容物の直径よりも小さい直径の円形に形成されるとともに、４本の前記スリットが前記開孔の周方向に等間隔に並べて設けられている、請求項１に記載の球状物用容器。
【請求項３】
前記容器本体が、前記収容空間を形成する胴部と該胴部に連なる口部とを有するボトル形状に形成されるとともに前記口部に装着されて前記吐出口を構成する樹脂製のキャップを備え、前記キャップに前記フィルム体が装着されている、請求項１または２に記載の球状物用容器。
【請求項４】
前記吐出口から吐出された内容物を保持可能な深さの有頂筒状に形成された保持筒部を備えた蓋体が、ヒンジを介して前記キャップに開閉可能に装着されている、請求項３に記載の球状物用容器。
【請求項５】
前記キャップに、弱化部を介して該キャップに一体に連結されて前記吐出口を閉塞する抜栓部が設けられ、前記フィルム体が前記キャップの前記収容空間の側の端部に装着されている、請求項３または４に記載の球状物用容器。
【請求項６】
前記フィルム体の外側面に剥離可能に積層される積層部と、前記開孔の内側に切欠部または弱化部を介して連なって該開孔を閉塞するとともに前記積層部に積層された閉塞部とを備えた抜栓フィルムを有する、請求項１〜４の何れか１項に記載の球状物用容器。
【発明の詳細な説明】
【技術分野】
【０００１】
本発明は、球状の内容物を収容する球状物用容器に関し、特に、内容物を１つずつ取り出すことができるようにしたものに関する。
【背景技術】
【０００２】
従来、球状の内容物を収容する容器としては、パウチ袋や広口瓶、蓋付きのケース体などが用いられていた（例えば特許文献１参照）。これらの容器では、蓋を空けた状態で容器を傾けて内容物を容器から吐出させて手に取り出したり、開口部から容器の内部に手を入れて内容物を直接取り出したりしていた。
【先行技術文献】
【特許文献】
【０００３】
【特許文献１】特開２０１２−１７１６８５号公報
【発明の概要】
【発明が解決しようとする課題】
【０００４】
しかしながら、従来の球状物用容器では、球状の内容物は転がり易いことから、容器を傾けて内容物を取り出そうとすると、内容物を１つずつ取り出したい場合でも容器から余分に内容物が吐出されてしまうことがある。また、容器の開口部から容器の内部に手を入れて内容物を直接取り出す場合では、他の内容物に手が触れてしまうおそれがあるという問題点がある。このような面から、球状の内容物を容易に１つずつ取り出すことが可能な容器が求められていた。
【０００５】
本発明は、このような問題点を解決することを課題とするものであり、その目的は、球状の内容物を容易に１つずつ取り出すことができる球状物用容器を提供することにある。
【課題を解決するための手段】
【０００６】
本発明の球状内容物用容器は、球状の内容物を収容する球状物用容器であって、前記内容物の収容空間と該内容物よりも大径の吐出口とを備える容器本体と、前記内容物の最大径部分における断面積よりも小さな開口面積の開孔と、該開孔の内周縁から径方向外側に向けて延びて設けられて前記開孔を前記内容物が通過可能な大きさにまで変形可能とする少なくとも１本のスリットとを備え、前記吐出口に装着されるフィルム体とを有することを特徴とする。
【０００７】
本発明の球状内容物用容器は、上記構成において、前記開孔が前記内容物の直径よりも小さい直径の円形に形成されるとともに、４本の前記スリットが前記開孔の周方向に等間隔に並べて設けられているのが好ましい。
【０００８】
本発明の球状内容物用容器は、上記構成において、前記容器本体が、前記収容空間を形成する胴部と該胴部に連なる口部とを有するボトル形状に形成されるとともに前記口部に装着されて前記吐出口を構成する樹脂製のキャップを備え、前記キャップに前記フィルム体が装着されているのが好ましい。
【０００９】
本発明の球状内容物用容器は、上記構成において、前記吐出口から吐出された内容物を保持可能な深さの有頂筒状に形成された保持筒部を備えた蓋体が、ヒンジを介して前記キャップに開閉可能に装着されているのが好ましい。
【００１０】
本発明の球状内容物用容器は、上記構成において、前記キャップに、弱化部を介して該キャップに一体に連結されて前記吐出口を閉塞する抜栓部が設けられ、前記フィルム体が前記キャップの前記収容空間の側の端部に装着されている構成とすることができる。
【００１１】
本発明の球状内容物用容器は、上記構成において、前記フィルム体の外側面に剥離可能に積層される積層部と、前記開孔の内側に切欠部または弱化部を介して連なって該開孔を閉塞するとともに前記積層部に積層された閉塞部とを備えた抜栓フィルムを有する構成とすることができる。
【発明の効果】
【００１２】
本発明によれば、容器本体を傾けて吐出口から球状の内容物を吐出させる際に、内容物をフィルム体によって吐出口に一旦保持し、容器本体を振ることで当該内容物を次の内容物によって吐出口から押し出すことができるので、容器本体を傾けて振るだけの簡単な操作で球状の内容物を容器本体の吐出口から１つずつ取り出すことができる。このように、本発明によれば、球状の内容物を容易に１つずつ取り出すことができる球状物用容器を提供することができる。
【図面の簡単な説明】
【００１３】
【図１】本発明の一実施の形態である球状物用容器の一部切り欠き断面図である。
【図２】図１に示す球状物用容器の要部を拡大して示す一部切り欠き断面図である。
【図３】（ａ）は図２に示すフィルム体を容器本体の内側から見た底面図であり、（ｂ）は同図（ａ）に示すフィルム体の変形例の底面図である。
【図４】図１に示す球状物用容器の、容器本体の吐出口から球状の内容物を吐出した状態の一部切り欠き断面図である。
【図５】図１に示す球状物用容器の、フィルム体によって球状の内容物を吐出口に保持した状態を示す一部切り欠き断面図である。
【図６】図５に示す蓋体の変形例を示す一部切り欠き断面図である。
【図７】図１に示す球状物用容器の変形例を示す一部切り欠き断面図である。
【図８】図７に示す球状物用容器の要部を拡大して示す断面図である。
【図９】図８に示す抜栓フィルムをフィルム体から剥離する様子を示す断面図である。
【図１０】（ａ）は図７に示す抜栓フィルムの変形例を示す平面図であり、（ｂ）は同図（ａ）におけるＡ−Ａ線に沿う断面図である。
【図１１】図１０に示す抜栓フィルムをフィルム体から剥離する様子を示す断面図である。
【発明を実施するための形態】
【００１４】
以下、図面を参照して本発明をより詳細に例示説明する。
【００１５】
図１に示す本発明の一実施の形態である球状物用容器１は、複数の球状の内容物Ｍを収容するとともに当該内容物Ｍを１つずつ取り出すことができるようにしたものである。この球状物用容器１は、例えば、栄養剤や薬剤等を収容した球状のカプセル、飴玉やボール状のガム等の球状の菓子、球状に固められた入浴剤や洗剤、液体の洗剤や入浴剤等を収容した球状のカプセルなど、球状の外形を有しているものであれば様々な球状物を内容物Ｍとして収容することができる。これらの内容物Ｍの直径は、例えば１５〜２５ｍｍ程度のものとすることができるが、これに限らず、種々の直径の内容物Ｍを収容することもできる。
【００１６】
図１に示すように、この球状物用容器１は容器本体２を有している。図示する場合では、容器本体２は有底筒状の胴部２ａと、この胴部２ａに連なる口部２ｂとを有するボトル形状に形成されている。このようなボトル形状の容器本体２は、例えばブロー成形により形成された合成樹脂製のものとすることができる。なお、容器本体２としては、合成樹脂製のボトルに限らず、合成樹脂製の他の形状のものや、ガラス瓶、パウチ袋などで構成された各種形状のものを採用することもできる。
【００１７】
容器本体２の胴部２ａの内部は収容空間Ｓとなっており、この収容空間Ｓに複数の内容物Ｍを収容することができる。一方、口部２ｂは内容物Ｍの直径よりも大きな内径を有する円筒状に形成されており、この口部２ｂを通して収容空間Ｓに内容物Ｍを入れ、また、収容空間Ｓから外部に内容物Ｍを吐出させることができる。
【００１８】
容器本体２の口部２ｂには合成樹脂製のキャップ３が装着されている。図２に示すように、このキャップ３は、内筒部３ａと外筒部３ｂとの間に下向きに開口する環状の装着溝３ｃを有しており、口部２ｂに打栓されて装着溝３ｃが口部２ｂにアンダーカット係合することにより、口部２ｂに強固に固定されている。また、キャップ３の内筒部３ａの上端には、開口端側が外側に向けてカールする筒状に形成された突出筒部３ｄが一体に設けられている。
【００１９】
口部２ｂに固定されたキャップ３は、その内筒部３ａ及び突出筒部３ｄの内側部分に容器本体２の吐出口４を構成している。この吐出口４は、円筒形状に形成された内筒部３ａや突出筒部３ｄの軸心に沿って延びるとともに球状の内容物Ｍの直径よりも大きい内径に形成されている。すなわち、収容空間Ｓに収容された内容物Ｍを、吐出口４から容器本体２の外部に取り出すことができる。なお、吐出口４の内径は内容物Ｍの直径の２倍以下となっており、同時に２つ以上の内容物Ｍが吐出口４を通過することはできないようになっている。本実施の形態においては、吐出口４は、その内径が内容物Ｍの直径よりも僅かに大きい程度に形成されている。
【００２０】
キャップ３は抜栓部５を備えた抜栓タイプとすることができる。抜栓部５は薄い板状に形成され、キャップ３の内筒部３ａの内周面に沿って延びる抜栓部５よりも薄い線状の弱化部６を介してキャップ３の内筒部３ａの内周面に一体に連結されている。抜栓部５の容器本体２の外側を向く表面には指を係止可能なプルリングに形成された引抜き部材５ａが一体に設けられており、この引抜き部材５ａに指を掛けて引くことにより、弱化部６つまりキャップ３の内周面に沿って抜栓部５をキャップ３から切り離すことができるようになっている。このような構成により、流通時等においては、収容空間Ｓに内容物Ｍを収容した容器本体２の吐出口４を抜栓部５により閉塞（密封）しつつ、内容物Ｍを取り出す際には、引抜き部材５ａを引いて抜栓部５をキャップ３から切り離すことで吐出口４を開栓させることができる。
【００２１】
キャップ３はヒンジ７を介して蓋体８が開閉自在に装着されたヒンジキャップに構成することもできる。蓋体８は、内容物Ｍをその内部に保持可能な深さの有頂筒状（カップ状）に形成された保持筒部８ａを備えており、キャップ３の上部に覆い被さる閉状態となったときに保持筒部８ａが突出筒部３ｄの内周面に嵌合することで吐出口４を閉塞することができるとともに、容器本体２を傾けて吐出口４から内容物Ｍを吐出させたときに、当該内容物Ｍを保持筒部８ａの内部に保持することができるようになっている（図４、図５参照）。なお、保持筒部８ａは、蓋体８の天壁８ｂの内面からの高さが、ヒンジ７の側において高くなる形状に形成されている。
【００２２】
本発明の球状物用容器１では、容器本体２を傾けて内容物Ｍを吐出口４から吐出させる際にその内容物Ｍを吐出口４で一旦保持するために、吐出口４にフィルム体１０を装着するようにしている。本実施の形態においては、フィルム体１０は、キャップ３の内筒部３ａの収容空間Ｓの側を向く下端に装着されている。
【００２３】
フィルム体１０は、気密性を有するとともに適度な可撓性を備えた樹脂製のフィルムで形成されており、例えば、高周波加熱等による熱溶着、接着剤を用いた接着、インサート成形等の手段によってキャップ３の内筒部３ａの下端に固着されている。
【００２４】
図３（ａ）に示すように、フィルム体１０は、吐出口４よりも大径となる円形の外形を有するとともに、その軸心に円形の開孔１１を備えた円環状に形成されている。この開孔１１は、内容物Ｍの最大径部分における断面積よりも小さな開口面積を有する形状に形成される。本実施の形態においては、開孔１１は、内容物Ｍよりも小さい直径に形成されることにより、その開口面積が内容物Ｍの最大径部分における断面積よりも小さくされている。
【００２５】
また、フィルム体１０には、開孔１１の内周縁から径方向外側に向けて延びるスリット１２が設けられている。本実施の形態においては、フィルム体１０には、開孔１１の周方向に等間隔に並べて４本のスリット１２が設けられている。これらのスリット１２は、何れもフィルム体１０の内周縁から開孔１１の径方向に沿って径方向外側に向けて延びてキャップ３の内筒部３ａの内周面にまで達している。これらのスリット１２が設けられることにより、フィルム体１０は、その開孔１１が、内容物Ｍの通過を可能とする大きさにまで変形可能な構成とされる。
【００２６】
フィルム体１０の材質や厚み、開孔１１の形状、孔径、スリット１２の数や長さは、内容物Ｍの大きさや重量に応じて、容器本体２が傾けられたときにフィルム体１０によって当該内容物Ｍを吐出口４に保持可能であるとともに、この状態で容器本体２が振られることにより加えられる衝撃荷重によって当該内容物Ｍが開孔１１を拡大するように変形させてフィルム体１０を通過することができるように設定される。
【００２７】
例えば、開孔１１の形状は円形に限らず、図３（ｂ）に示すような角孔形状に形成することができる。この場合においても、開孔１１の開口面積は、内容物Ｍの最大径部分における断面積よりも小さくされ、内容物Ｍは開孔１１の各スリット１２の間の辺部分においてフィルム体１０に当接して当該フィルム体１０により吐出口４に保持される。
【００２８】
次に、このような構成の球状物用容器１の使用方法について説明する。
【００２９】
球状の内容物Ｍは、容器本体２の口部２ｂにキャップ３が打栓される前に容器本体２の口部２ｂから収容空間Ｓに収容される。その後、抜栓部５を備えたキャップ３が口部２ｂに打栓されて内容物Ｍを収容した容器本体２が密封される。
【００３０】
この球状物用容器１からは球状の内容物Ｍを１つずつ取り出すことができる。内容物Ｍを取り出す際には、まず、蓋体８を開いて引抜き部材５ａを引き、抜栓部５をキャップ３から切り離して吐出口４を開放する。これにより、球状物用容器１が開封され、容器本体２の収容空間Ｓから内容物Ｍを取り出せる状態となる。
【００３１】
次に、蓋体８を閉じ体状態のまま容器本体２を傾ける。容器本体２を傾けることで、容器本体２の収容空間Ｓに収容されている内容物Ｍを吐出口４に入り込ませることができるが、フィルム体１０の開孔１１は内容物Ｍよりも小さく形成されているので、内容物Ｍはフィルム体１０を通過することなく当該フィルム体１０により吐出口４に保持される。そして、この状態から容器本体２を口部２ｂないし吐出口４の軸方向に沿って振ることで、フィルム体１０により吐出口４に保持されている内容物Ｍをこれに隣接する次の内容物Ｍによって押し出させる。すなわち、容器本体２を振ることで、吐出口４に保持されている内容物Ｍに対して次の内容物Ｍから吐出口４の外側に向けた衝撃荷重を加え、この荷重により開孔１１を拡大するように変形させることで、図４に示すように、吐出口４に保持されていた内容物Ｍを吐出口４から外部に吐出させることができる。吐出口４から吐出された内容物Ｍは蓋体８の保持筒部８ａに保持されるので、図５に示すように、蓋体８を開くことで保持筒部８ａに保持されている内容物Ｍを取り出すことができる。このようにして、球状物用容器１から、内容物Ｍを１つずつ取り出すことができる。
【００３２】
一方、内容物Ｍが吐出口４から外部に吐出されると、次の内容物Ｍが吐出口４に入り込むことになるが、フィルム体１０はその弾性力により開孔１１が元の大きさになるように復元するので、次の内容物Ｍはフィルム体１０によって吐出口４に保持され、前の内容物Ｍに続いて吐出口４から吐出されることはない。よって、内容物Ｍは吐出口４から１つずつ吐出されることになる。
【００３３】
なお、吐出口４は内容物Ｍの直径よりも僅かに大きい内径に形成されているので、吐出口４に２つの内容物Ｍが同時に入り込むことはなく、１つずつ順に吐出口４に入り込むことになる。また、図示する場合では、容器本体２を倒立姿勢にまで傾けるようにしているが、内容物Ｍを吐出口４に導くことができる傾斜角度に傾ければよい。
【００３４】
このように、本発明の球状物用容器１では、容器本体２を傾けて吐出口４から球状の内容物Ｍを吐出させる際に、フィルム体１０によって内容物Ｍを吐出口４に一旦保持し、この状態で容器本体２を振ることで当該内容物Ｍを次の内容物Ｍによって押して吐出口４から吐出させることができるので、容器本体２を傾けて振るだけの簡単な操作で球状の内容物Ｍを容器本体２の吐出口４から１つずつ取り出すことができる。
【００３５】
また、本実施の形態のように、フィルム体１０に設ける開孔１１を内容物Ｍよりも小径の円形に形成するとともに４本のスリットを周方向に等間隔に設けた構成とすることにより、内容物Ｍを周方向に均等にフィルム体１０で支持させて当該内容物Ｍを吐出口４に安定して保持させることができるとともに、フィルム体１０の開孔１１を４本のスリット１２により均等に弾性変形させて内容物Ｍを安定して吐出させることができる。
【００３６】
さらに、内容物Ｍを保持可能な深さの有頂筒状に形成された保持筒部８ａを備えた蓋体８をキャップ３に設けることにより、図５に示すように、吐出口４から吐出された内容物Ｍを蓋体８により保持することができる。このような構成により、吐出口４から吐出された内容物Ｍを蓋体８の保持筒部８ａにより確実に保持して、吐出口４から吐出された内容物Ｍが床等へ落下することを防止することができる。
【００３７】
さらに、本実施の形態のように、容器本体２の吐出口４を密封する抜栓部５を備えたキャップ３にフィルム体１０を設けた構成とすることにより、内容物Ｍを一旦保持するためのフィルム体１０を簡単な構成かつ低コストで吐出口４に設けることができる。
【００３８】
図６は図５に示す蓋体の変形例を示す一部切り欠き断面図である。図５に示す場合では、蓋体８に設けられる保持筒部８ａは、蓋体８の天壁８ｂの内面からの高さが、ヒンジ７の側において高くなる形状に形成されているが、図６に示すように、保持筒部８ａを、蓋体８の天壁８ｂの内面からの高さが、ヒンジ７とは反対側において高くなる形状に形成することもできる。このような構成とすることにより、蓋体８を閉じた状態で吐出口４から内容物Ｍを吐出させて保持筒部８ａに内容物Ｍを保持させ、次いで蓋体８を開いて内容物Ｍを取り出すときに、当該内容物Ｍを保持筒部８ａにより確実に保持させて当該内容物Ｍが床等に落ちることを確実に防止することができる。
【００３９】
図７は図１に示す球状物用容器の変形例を示す一部切り欠き断面図であり、図８は図７に示す球状物用容器の要部を拡大して示す断面図であり、図９は図８に示す抜栓フィルムをフィルム体から剥離する様子を示す断面図である。また、図１０（ａ）は図７に示す抜栓フィルムの変形例を示す平面図であり、図１０（ｂ）は同図（ａ）におけるＡ−Ａ線に沿う断面図である。さらに、図１１は図１０に示す抜栓フィルムをフィルム体から剥離する様子を示す断面図である。なお、図７〜図１１においては、前述した部材に対応する部材には同一の符号を付し、再度の説明は適宜省略する。
【００４０】
図１に示す球状物用容器１では、吐出口４を閉塞するとともに内容物Ｍを吐出する際に開栓可能な抜栓部５をキャップ３と一体に設けるようにしている。これに対して、図７〜図９に示す変形例では、フィルム体１０に抜栓フィルム２０を設けることにより、吐出口４を閉塞するとともに内容物Ｍを吐出する際に当該吐出口４を開栓可能な構成としている。
【００４１】
図８に示すように、この変形例では、キャップ３の内筒部３ａの下端側に径方向内側に向けて突出する環状の台座部３ｅが一体に設けられ、この台座部３ｅの上面にフィルム体１０が固着されている。
【００４２】
抜栓フィルム２０は、フィルム体１０と同様の材質及び厚みのフィルム状に形成された積層部２１を有している。この積層部２１は、フィルム体１０の外側面つまり吐出口４の開放端の側（図８中で上側）を向く面に剥離可能に積層されている。なお、フィルム体１０と積層部２１との間に、これらを適度に接着する接着層を設けることもできる。
【００４３】
また、抜栓フィルム２０は、フィルム体１０と同様の材質及び厚みのフィルム状に形成された閉塞部２２を有している。閉塞部２２はフィルム体１０の開孔１１の内側に切欠部２３を介して連ねられ、当該開孔１１を閉塞している。このような閉塞部２２は、フィルム体１０と閉塞部２２とを円形のフィルムで一体に形成した後、開孔１１に対応した形状の切欠部２３を形成することでフィルム体１０と一体的に設けることができる。閉塞部２２は積層部２１の下面に積層されており、積層部２１がフィルム体１０から剥離されると、積層部２１とともにフィルム体１０から取り除かれる。
【００４４】
なお、図示する場合では、閉塞部２２をフィルム体１０の開孔１１の内側つまりフィルム体１０の内周縁に、切欠部２３によって完全に切り離した状態で連ねるようにしているが、閉塞部２２をフィルム体１０の開孔１１の内側つまりフィルム体１０の内周縁に、当該フィルム体１０よりも薄い弱化部を介して連ねるように構成することもできる。この場合、積層部２１とともに閉塞部２２をフィルム体１０から取り除く際に、閉塞部２２を積層部２１から剥離させることなく弱化部が切断されて閉塞部２２がフィルム体１０から切り離されるよう構成される。
【００４５】
積層部２１の上面には樹脂製の板状部２４が接着やインサート成形等の手段により固定され、この板状部２４には指を係止可能なプルリングに形成された引抜き部材２５が一体に設けられている。
【００４６】
このような構成により、流通時等においては、収容空間Ｓに内容物Ｍを収容した容器本体２の吐出口４を抜栓フィルム２０により開孔１１を閉塞（密封）しつつ、内容物Ｍを取り出す際には、引抜き部材２５を引いて積層部２１をフィルム体１０から剥離するとともに閉塞部２２をフィルム体１０から取り除いて開孔１１つまり吐出口４を開栓させることができる。したがって、抜栓部５に加えてフィルム体１０を設けることなく、これらのフィルムの積層体による簡単な構成としてこの球状物用容器１の構成を簡素化し、そのコストを低減することができる。
【００４７】
図７〜図９に示す場合では、引抜き部材２５を抜栓フィルム２０とは別体に形成した構成としているが、図１０、図１１に示すように、引抜き部材２５を抜栓フィルム２０と一体に形成した構成とすることもできる。
【００４８】
図示する場合では、引抜き部材２５は、抜栓フィルム２０の一部をその外周周縁部で折り返した円形の板状に形成され、抜栓フィルム２０の上側に重ねて配置されている。この引抜き部材２５の裏面には裏リブ２５ａが設けられ、この裏リブ２５ａにより抜栓フィルム２０に対して引抜き部材２５が浮いた状態とされている。これにより、引抜き部材２５を指で摘み易くすることができる。
【００４９】
また、引抜き部材２５の表面には裏リブに平行に並ぶ表リブ２５ｂが形成されている。表リブ２５ｂは裏リブ２５ａとともに引抜き部材２５の滑り止めとして機能し、これにより、引抜き部材２５による抜栓フィルム２０の剥離を容易にすることができる。
【００５０】
このような構成においても、流通時等においては、収容空間Ｓに内容物Ｍを収容した容器本体２の吐出口４を抜栓フィルム２０により開孔１１を閉塞（密封）しつつ、内容物Ｍを取り出す際には、引抜き部材２５を引いて積層部２１をフィルム体１０から剥離するとともに閉塞部２２をフィルム体１０から取り除いて開孔１１つまり吐出口４を開栓させることができる。
【００５１】
本発明は前記実施の形態に限定されるものではなく、その要旨を逸脱しない範囲で種々変更可能であることはいうまでもない。
【００５２】
例えば、前記実施の形態においては、蓋体８は、その内部に保持筒部８ａを備えた構成とされているが、蓋体８に保持筒部８ａを設けることなく蓋体それ自体が保持筒部として機能する形状に形成することもできる。
【符号の説明】
【００５３】
１    球状物用容器
２    容器本体
２ａ  胴部
２ｂ  口部
３    キャップ
３ａ  内筒部
３ｂ  外筒部
３ｃ  装着溝
３ｄ  突出筒部
３ｅ  台座部
４    吐出口
５    抜栓部
５ａ  引抜き部材
６    弱化部
７    ヒンジ
８    蓋体
８ａ  保持筒部
８ｂ  天壁
１０    フィルム体
１１    開孔
１２    スリット
２０    抜栓フィルム
２１    積層部
２２    閉塞部
２３    切欠部
２４    板状部
２５    引抜き部材
２５ａ  裏リブ
２５ｂ  表リブ
Ｍ    内容物
Ｓ    収容空間
【図１】
0006425626.tif 000002
【図２】
0006425626.tif 000003
【図３】
0006425626.tif 000004
【図４】
0006425626.tif 000005
【図５】
0006425626.tif 000006
【図６】
0006425626.tif 000007
【図７】
0006425626.tif 000008
【図８】
0006425626.tif 000009
【図９】
0006425626.tif 000010
【図１０】
0006425626.tif 000011
【図１１】
0006425626.tif 000012